(57)【要約】【課題】  組立、修理が容易なＣＤドライブ装置の提供。【解決手段】  ＣＤドライブ装置は、ケースを具え、該ケースは、中空半封閉の扁平箱体とされ、垂直側面にＣＤドライブ装置本体に合わせたサイズでＣＤドライブ装置本体を内部に挿入できる挿入口が設けられ、該挿入口の反対側のもう一つの垂直側面が基板により閉じられ、該基板にインタフェース接続線及び電源接続線が設けられ並びにＣＤドライブ装置本体末端の対応する構造部分に接続され、ケースの水平面後部に開口が設けられ並びに開閉式の底カバーで閉じられ、該ＣＤドライブ装置本体がネジでケース内部に固定され、これにより組立が簡単で速やかに行なえ、不良品率を下げることができる。【選択図】        図１
0003102439.tif 000002
【実用新案登録請求の範囲】
【請求項１】
ＣＤドライブ装置本体とケースを具え、
該ケースは中空半封閉の扁平ケースとされ、垂直側面に挿入口が設けられ、該挿入口の寸法がＣＤドライブ装置本体に対応してそれを内部に挿入できるものとされ、挿入口に対向する別の垂直側面が基板で閉じられ、該基板にインタフェース接続線及び電源接続線が設けられて並びにＣＤドライブ装置本体末端の対応する構造に接続され、ケースの水平面後部に開口が設けられて開閉式の底カバーで閉じられたことを特徴とする、ＣＤドライブ装置。
【請求項２】
請求項１記載のＣＤドライブ装置において、ケースの水平面の開口の一側に二つの係止溝が設けられ、底カバーの一側に弾性を具えた二つの係合ブロックが設けられ、該係止溝と係合ブロックの係合により底カバーが水平面の開口に位置決めされることを特徴とする、ＣＤドライブ装置。
【請求項３】
請求項１記載のＣＤドライブ装置において、ケースの底部に別に複数の孔が設けられてネジが組み合わされ、該ネジが、ＣＤドライブ装置本体の対応する部分に設けられたネジ孔にねじ込まれてケースとＣＤドライブ装置本体が固定されたことを特徴とする、ＣＤドライブ装置。
【考案の詳細な説明】
【技術分野】
【０００１】
本考案は一種のＣＤドライブ装置、特にそのケースに係り、ＣＤドライブ装置本体の組み付け或いは修理を容易とする構造に関する。
【背景技術】
【０００２】
ＣＤドライブ装置は、現在普及し注目を集めている製品である。ＣＤドライブ装置の製品は標準サイズの規格とされ、即ち直方体とされ、コンピュータメーカーがコンピュータに組み付けて販売するほか、単独で販売もされ、単独で販売される時は、メーカーがそれぞれ異なるケースで被覆して市場で販売している。伝統的なケースの包装方式はツーパーツ式とされ、即ち上下の逆Ｕ形とＵ形のケースを突き合わせて螺子止めしてケースを形成する。その組立フローは、ＣＤドライブ装置本体をネジで底ケースに固定し、さらに関係する接続線及びインタフェースを接合後に、上ケースをネジで固定する、というものである。しかしこのような構造は以下のような欠点がある。
１．このようなケースはプラスチック材料で形成されるため、ネジ止め時にタッピンネジが採用され、ケースの対応位置に雌ネジが設けられず、ネジで固定する時にネジ山を同時に形成して両者を固定する。このため組立者が二つのケースの位置を正確に合わせずに螺子止めすると、後で品質管理を行なう時に位置ずれが発覚した場合に位置を調整して再度ネジ止めしなればならなくても、締めつけができなかったり、或いは両者の位置が離れて調整できなくなることがあり、このために多くの不良品が発生する。
２．タッピンネジによる螺子止め時に、作業員は熟練した技術を有していなければならない。
３．修理時にケースを分解するのが面倒で不便である。
【考案の開示】
【考案が解決しようとする課題】
【０００３】
本考案の主要な目的は、組立と修理に便利なＣＤドライブ装置を提供することにあり、それは、ケースの設計が中空状で半封閉の立体長方形箱体とされるが、平常は不封閉或いは開放可能な二つの開口が保留され、そのうち一つは挿入口とされてＣＤドライブ装置本体をケース内に速やかに挿入するのに供され、もう一つの開口はケース後方位置に設けられ、組立者が接続部品の組立、接合作業を行なうのに便利であり、これにより組立フローと手続を簡易化し、並びに生産効率を容易とし、不良品の発生を減らすことができるものとする。
【０００４】
上述の目的を達成するため、本考案のケースは半封閉の立体の中空ケースとされ、垂直端面に挿入口が設けられ、ＣＤドライブ装置本体をここより内部に挿入して速やかに固定でき、ケースの水平面後部に別に小さい開口が設けられ、この小さい開口が底カバーで閉じられ、この部分の内部にインタフェース接続線及び電源接続線等の構造が設けられてＣＤドライブ装置本体の末端に接続され、ＣＤドライブ装置本体を速やかに組み付けることができるものとされる。
【課題を解決するための手段】
【０００５】
請求項１の考案は、ＣＤドライブ装置本体とケースを具え、
該ケースは中空半封閉の扁平ケースとされ、垂直側面に挿入口が設けられ、該挿入口の寸法がＣＤドライブ装置本体に対応してそれを内部に挿入できるものとされ、挿入口に対向する別の垂直側面が基板で閉じられ、該基板にインタフェース接続線及び電源接続線が設けられて並びにＣＤドライブ装置本体末端の対応する構造に接続され、ケースの水平面後部に開口が設けられて開閉式の底カバーで閉じられたことを特徴とする、ＣＤドライブ装置としている。
請求項２の考案は、請求項１記載のＣＤドライブ装置において、ケースの水平面の開口の一側に二つの係止溝が設けられ、底カバーの一側に弾性を具えた二つの係合ブロックが設けられ、該係止溝と係合ブロックの係合により底カバーが水平面の開口に位置決めされることを特徴とする、ＣＤドライブ装置としている。
請求項３の考案は、請求項１記載のＣＤドライブ装置において、ケースの底部に別に複数の孔が設けられてネジが組み合わされ、該ネジが、ＣＤドライブ装置本体の対応する部分に設けられたネジ孔にねじ込まれてケースとＣＤドライブ装置本体が固定されたことを特徴とする、ＣＤドライブ装置としている。
【考案の効果】
【０００６】
本考案のＣＤドライブ装置は使用上、以下のような具体的効果を有している。
１．組立を速やかに行なえる。ＣＤドライブ装置本体をケース内に挿入した後、末端の接続手段を結合させ、さらにネジでそれを固定すれば、ＣＤドライブ装置本体とケースの組立が完成し、便利で快速であり、伝統的な構造のように上下のケースを螺子止めする工程が不要で、組立フローを簡易化でき、生産効率を高めることができる。
２．組立作業員が高い組立技術を必要としない。
３．ＣＤドライブ装置本体に故障が発生した時、ケース末端の底カバーを開いて接続手段の脱落或いは故障がないかを検査でき、速やかに故障原因を排除でき、もしＣＤドライブ装置本体を取り外して修理が必要である場合は、ＣＤドライブ装置本体の取り外しが伝統的な構造よりも速やかに簡単に行なえる。
【考案を実施するための最良の形態】
【０００７】
図１は本考案の分解斜視図であり、これはケース底部の構造を示す。ケース１はその内部にＣＤドライブ装置本体２を収容し、該ケース１の外形はメーカーの設計により自由に改変されうるが、その形状は中空で半封閉の立体長方形ケースとされ、内部に形成された空間はＣＤドライブ装置本体２の寸法に対応し、該ケース１の垂直側面に挿入口１１が設けられ、ＣＤドライブ装置本体２は該挿入口１１より挿入される。該挿入口１１に対して１８０度を以て対応するもう一つの垂直側面は基板１２により閉じられる。該基板１２に別にインタフェース接続線１３及び電源接続線１４が設けられ、該基板１２と外界の連通する一面に関係するスロットインタフェースが設けられ、関係設備の使用に供される。ケース１の水平面１５の後部に小さい開口１６が設けられ、底カバー１７が該小さい開口１６を閉じる。実際の使用時に、この水平面１５はケース１の底部に位置する。このほか、該小さい開口１６部分の一側に二つの係止溝１６１が設けられ、底カバー１７の一側に弾性を具えた二つの係止ブロック１７１が設けられ、該係止溝１６１と該係止ブロック１７１の相互係合によりケース１に底カバー１７が取り付けられる。該小さい開口１６の位置はまたインタフェース接続線１３を設置する位置とすることも可能で、それにより組立作業員がＣＤドライブ装置本体を購入後に接続線の接続作業を行なうのに便利とされる。このほか、該水平面１５の適当な位置に別に複数の貫通孔１８が設けられ、ＣＤドライブ装置本体２に設けられたネジ孔２１とのネジ１９による結合に供される。
【０００８】
組立時には、ケース１が裏返しにされて底部が上向きとされ（図１）、ＣＤドライブ装置本体２が一側の挿入口１１よりケース１内に挿入され、位置が合わされ、ネジ１９が孔１８に挿入されてＣＤドライブ装置本体のネジ孔２１内にねじ込まれれば、速やかにＣＤドライブ装置本体の位置が固定され、その後、インタフェース接続線１３及び電源接続線１４がＣＤドライブ装置本体末端の対応するスロットに接合され、底カバー１７が閉じられ、こうして全体の組立が完成する（図２）。使用時には全体を再び裏返しにし、水平面１５を底部の位置とする。この過程は簡単で組立に便利であり、組立者は高い技術能力を必要とせず、不良品率を減らすことができ、開閉式の底カバー１７により修理に便利であり、プラグの挿入の不注意から不良品が発生した場合に、底カバー１７を開けて再度挿入すればよく、周知の構造のように全体のケースを分解する煩瑣な手続きが不要であり、メーカーの生産速度を高め、修理を容易とし、不良品率を大幅に減らすことができる。
【０００９】
以上は本考案の好ましい実施例の説明であり、本考案の実施範囲を限定するものではなく、本考案に基づきなしうる細部の修飾或いは改変は、いずれも本考案の請求範囲に属するものとする。
【図面の簡単な説明】
【００１０】
【図１】本考案の分解斜視図である。
【図２】本考案の斜視図である。
【符号の説明】
【００１１】
１  ケース
１１  挿入口
１２  基板
１３  インタフェース接続線
１４  電源接続線
１５  水平面
１６  開口
１６１  係止溝
１７  底カバー
１７１  係止ブロック
１８  孔
１９  ネジ
２  ＣＤドライブ装置本体
２１  ネジ孔
【図１】
0003102439.tif 000003
【図２】
0003102439.tif 000004